(57)【要約】      （修正有）【課題】薬液塗布器具のノズル末端が閉塞することを防止し、薬液の断続的な塗布を確実にする薬液塗布装置を提供する。【解決手段】薬液塗布器具１１を支持するための薬液塗布器具支持キット４０は、薬液塗布器具１１のノズルの末端を浸すための液体１００を収容する容器４１と、ノズルの末端が容器４１の底から上側に間隔を空けた高さに維持されるように薬液塗布器具１１を支持する支持部材５１とを備えている。また、薬液塗布装置１０は、二種類の溶液を圧縮空気と共にスプレーヘッド２４から噴射し混合して生体組織接着剤を生成するとともに該生体組織接着剤を患部に塗布する薬液塗布器具１１と、該薬液塗布器具１１の不使用時に該薬液塗布器具を支える上記の薬液塗布器具支持キット４０とを備えている。【選択図】図１
0003182994.tif 000002
【実用新案登録請求の範囲】
【請求項１】
ノズルを有する薬液塗布器具を支持するための薬液塗布器具支持キットであって、
前記ノズルの末端を浸すための液体を収容する容器と、
前記ノズルの末端が前記容器の底から上側に間隔を空けた高さに維持されるように前記薬液塗布器具を支持する支持部材と、を備えていることを特徴とする薬液塗布器具支持キット。
【請求項２】
前記支持部材は、前記薬液塗布器具を挟み込んで支持する一対の挟持部を備え、
前記支持部材は、前記容器の上面に設けられた開口部の周縁部に引っ掛かる形状および大きさを有することを特徴とする請求項１に記載の薬液塗布器具支持キット。
【請求項３】
前記支持部材は、前記薬液塗布器具のスプレーヘッドを下側から受けるカップ部を備え、
該カップ部の底部に、前記スプレーヘッドの基端部の挿通を規制する開口が形成され、
前記支持部材は、前記容器の上面に設けられた開口部の周縁部に引っ掛かる形状および大きさを有することを特徴とする請求項１に記載の薬液塗布器具支持キット。
【請求項４】
前記支持部材は、前記容器の上面に設けられた開口部の周縁部に引っ掛けられ、前記容器の内側に吊り下げられるフック部材であり、
該フック部材の下端部に、前記薬液塗布器具の外周部に引っ掛けられるループ部が設けられていることを特徴とする請求項１に記載の薬液塗布器具支持キット。
【請求項５】
前記支持部材は、前記容器における所定の液面高さよりも低い位置に前記ノズルの末端が配置されるように前記薬液塗布器具を支持可能な形状及び大きさを有することを特徴とする請求項２〜４のいずれかに記載の薬液塗布器具支持キット。
【請求項６】
前記支持部材は、前記容器の内部を上下に仕切るように該容器の内側に取り付けられる仕切部材であり、
該仕切部材に、上側から差し込まれた前記薬液塗布器具のスプレーヘッドの末端側の一部のみが通過可能な形状および大きさを有する開口部が設けられていることを特徴とする請求項１に記載の薬液塗布器具支持キット。
【請求項７】
前記支持部材は、前記薬液塗布器具のスプレーヘッドに取り付けられた状態で、前記薬液塗布器具と共に前記容器内で前記液体に浮かべられるフロート部材であることを特徴とする請求項１に記載の薬液塗布器具支持キット。
【請求項８】
前記支持部材は、前記薬液塗布器具を挟み込んで支持する挟持機構と、該挟持機構を支持する支柱スタンドとを備えていることを特徴とする請求項１に記載の薬液塗布器具支持キット。
【請求項９】
二種類の溶液を圧縮空気と共にスプレーヘッドから噴射し混合して生体組織接着剤を生成するとともに該生体組織接着剤を患部に塗布する薬液塗布器具と、該薬液塗布器具の不使用時に該薬液塗布器具を支える、前記請求項１〜８のいずれかに記載の薬液塗布器具支持キットとを備えた薬液塗布装置。
【考案の詳細な説明】
【技術分野】
【０００１】
本考案は、薬液塗布器具の不使用時に該薬液塗布器具を支える薬液塗布器具支持キットに関する。また、本考案は、薬液塗布器具と薬液塗布器具支持キットを含む薬液塗布装置に関する。
【背景技術】
【０００２】
一般に、動物性タンパク質を主成分とする生体組織接着剤は、フィブリノゲンを含有する溶液（第１溶液）を、トロンビンを含有する溶液（第２溶液）と混合させることにより臨床現場で形成される。
【０００３】
生体組織接着剤の簡便かつ効率的な使用を可能にするために、薬液塗布器具の一種である生体組織接着剤塗布器具が開発されている。例えば、第１の溶液を第１のシリンジに収容し、第２の溶液を第２のシリンジに収容して、これら２つのシリンジにそれぞれ収容されている第１の溶液と第２の溶液を同時に噴出して混合させながら患部に塗布する技術が、特許文献１〜８等で提案されている。本出願人も、第１及び第２の溶液と共にガスを噴射することにより、これらの溶液を霧化し混合する生体組織接着剤塗布器具（特許文献９，１０参照）を開発し、実際の臨床現場に提供してきた。そして、このような塗布器具の開発および提供により、生体組織接着剤は様々な医療領域で接着剤または止血剤として広く利用されるようになった。
【先行技術文献】
【特許文献】
【０００４】
【特許文献１】特開昭６４−２５８４３号公報
【特許文献２】特開昭６４−４００４０号公報
【特許文献３】実公平３−４７６０９号公報
【特許文献４】特開平６−１８１９７９号公報
【特許文献５】特許第２７４１３２３号公報
【特許文献６】特許第２８３７０９９号公報
【特許文献７】特開平８−２８１１５０号公報
【特許文献８】特開平１１−７６２４５号公報
【特許文献９】特許第２５５５５４９号公報
【特許文献１０】特再表２００８−１５３０５９号公報
【考案の概要】
【考案が解決しようとする課題】
【０００５】
上述のような生体組織接着剤塗布器具では、第１の溶液と第２の溶液は個別のシリンジに収容されているため、シリンジから噴射されるまでは互いに接触、混合することはない。したがって、理論的には、第１の溶液が噴射されるノズル末端（第１の溶液のノズル末端）、または第２の溶液が噴射されるノズル末端（第２の溶液のノズル末端）で、第１の溶液と第２の溶液との混合による凝固物は形成されず、ノズル末端で詰まりは生じ得ない。しかしながら実際には、断続的な噴射を繰り返すうち、噴射後に塗布器具を放置しておくと、第１の溶液と第２の溶液とを混合してなる接着剤が、ノズル末端（特にフィブリノゲンを含有する第１の溶液のノズル末端）の近傍に凝固物として付着する場合や、ノズル末端に残った第１の溶液がノズル末端の近傍で乾燥し、析出物となる場合がある。こうした凝固物や析出物がノズル末端を塞ぐと、以降の溶液噴出が不可能となり、目詰まりを発生させる。
【０００６】
また、生体組織接着剤以外の接着剤、又は、接着剤以外の用途で用いられる薬液を噴射する薬液塗布器具においても、何らかの要因によりノズル末端を凝固物や析出物が塞いで、目詰まりが生じる可能性がある。
【０００７】
そこで、本考案は、薬液塗布器具のノズル末端が閉塞することを防止し、薬液の断続的な塗布を確実に可能とすることを目的とする。
【課題を解決するための手段】
【０００８】
この目的を達成するため、本考案に係る薬液塗布器具支持キットは、薬液塗布器具のノズルの末端を浸すための液体を収容する容器と、前記ノズルの末端が前記容器の底から上側に間隔を空けた高さに維持されるように前記薬液塗布器具を支持する支持部材と、を備えていることを特徴とする。
【０００９】
また、本考案に係る薬液塗布装置は、二種類の溶液を圧縮空気と共にスプレーヘッドから噴射し混合して生体組織接着剤を生成するとともに該生体組織接着剤を患部に塗布する薬液塗布器具と、該薬液塗布器具の不使用時に該薬液塗布器具を支える上記の薬液塗布器具支持キットとを備えたものである。
【考案の効果】
【００１０】
本考案によれば、薬液塗布器具の不使用時（例えば、一時的な薬液塗布の中断時、使用開始時、使用終了後）、該薬液塗布器具を薬液塗布器具支持キットの支持部材に支持させることで、同キットの容器の底から上側に間隔を空けた高さに薬液塗布器具のノズルの末端を維持しつつ、該ノズルの末端を容器内の液体に浸けることができる。その結果、ノズル末端において、乾燥による析出物の発生を防止できる。また、混合により凝固物が生じ得る複数種類の溶液を別々のノズルから噴射する場合、各ノズル末端に付着した溶液は、容器内の液体によって希釈若しくは溶解されるか、又は、該液体内に沈下するため、ノズル末端で、溶液の混合による凝固物が発生することを防止できる。さらに、既にノズル末端に凝固物や析出物が発生している場合、該凝固物又は析出物も容器内の液体に希釈若しくは溶解されるか、又は、該液体内に沈下する。したがって、薬液塗布器具の不使用時にノズル末端が閉塞することを効果的に防止でき、薬液塗布器具による断続的な塗布作業を支障なく行うことができる。
【図面の簡単な説明】
【００１１】
【図１】第１の実施形態に係る支持部材を備えた薬液塗布器具支持キットと、薬液塗布器具を示す斜視図である。
【図２】図１に示す薬液塗布器具支持キットの使用状態を示す斜視図である。
【図３】薬液塗布器具のスプレーヘッドの一部を破断して示す平面図である。
【図４】図２の使用状態における要部を拡大して示す断面図である。
【図５】第２の実施形態に係る支持部材を示す平面図である。
【図６】図５に示す支持部材を開いた状態を示す平面図である。
【図７】図５及び図６に示す支持部材を用いて薬液塗布器具を支持した状態を示す斜視図である。
【図８】第３の実施形態に係る支持部材を用いて薬液塗布器具を支持した状態を示す斜視図である。
【図９】第４の実施形態に係る支持部材を備えた薬液塗布器具支持キットを示す斜視図である。
【図１０】図９に示す薬液塗布器具支持キットの使用状態を示す断面図である。
【図１１】第５の実施形態に係る支持部材を備えた薬液塗布器具支持キットを示す斜視図である。
【図１２】図１１に示す薬液塗布器具支持キットの使用状態を示す断面図である。
【図１３】第６の実施形態に係る支持部材を備えた薬液塗布器具支持キットを示す斜視図である。
【図１４】図１３に示す薬液塗布器具支持キットの使用状態を示す断面図である。
【考案を実施するための形態】
【００１２】
以下、添付図面を参照して本考案の実施形態を説明する。なお、以下の説明では、必要に応じて特定の方向や位置を示す用語（例えば、「上」、「下」、「右」、「左」及びそれらの用語を含む別の用語）を用いるが、それらの用語の使用は図面を参照した考案の理解を容易にするためであって、それらの用語の意味によって本考案の技術的範囲が限定されるものではない。
【００１３】
１．全体構成：
図１及び図２は、本考案の一実施形態に係る薬液塗布装置１０を示す。薬液塗布装置１０は、薬液塗布器具（以下、単に「塗布器具」ともいう）１１と、塗布器具１１の不使用時（例えば、一時的な薬液塗布の中断時、使用開始前、使用終了後）に該塗布器具１１を支えておくための薬液塗布器具支持キット（以下、単に「支持キット」ともいう）４０とを備えている。
【００１４】
２．塗布器具：
塗布器具１１としては、生体組織接着剤、別の接着剤、又は、接着剤以外の薬液を塗布するための種々の薬液塗布器具を用いることができるが、本実施形態では、一般財団法人化学及血清療法研究所から供給されている止血剤注入キット（商品名「ボルヒール調製器セット」及び「ボルヒールスプレーセット」）を塗布器具１１として用いる場合について説明する。
【００１５】
図１に示すように、塗布器具１１は、フィブリノゲンを含む溶液（以下、「フィブリノゲン溶液」という）を収容するシリンジ２１と、フィブリノゲンの凝塊形成を促進するトロンビンを含む溶液（以下、「トロンビン溶液」という）を収容するシリンジ２２と、これら２つのシリンジ２１，２２を一体的に保持する２つの保持手段２３と、シリンジ２１，２２から別々に送り出される２つの溶液を圧縮空気を使用して噴霧し混合して接着剤を形成するためのスプレーヘッド２４を有する。
【００１６】
シリンジ２１，２２は、通常のシリンジと同様に、バレルとプランジャからなる。２つの保持手段２３は、バレルホルダ２５とプランジャホルダ２６である。バレルホルダ２５は、２つのシリンジのバレルを平行に保持できる大きさと形状を有し、プランジャホルダ２６は、２つのシリンジのプランジャの親指フランジを同時に保持できる大きさと形状を有する。
【００１７】
図３に示すように、スプレーヘッド２４は、基端から末端に向かって次第に細くなる扁平な中空ハウジング２７を有し、基端側には２つのシリンジの末端ノズルが密封状態ではめ込まれるノズルホルダ２８を有し、末端側には２つの平行に配置された空気噴出孔２９を有する。また、スプレーヘッド２４の内部には２本のチューブ３０が配置されており、それらの一端がノズルホルダ２８に接続され、他端（ノズル３１）が空気噴出孔２９を通って僅かに外側に突出させてある。
【００１８】
図３及び図４に示すように、スプレーヘッド２４の略中央部には、ハウジング２７の内腔部３４に通じるように圧縮空気供給管３２が接続されており、該供給管３２に無菌フィルタ３３が設けてある。図示するように、圧縮空気供給管３２は、スプレーヘッド２４に対して、基端から末端側に向かって斜めに接続されており、圧縮空気供給管３２を通じてスプレーヘッド２４の内腔部３４に供給された圧縮空気が、基端側から末端側の空気噴出孔２９に向かってスムーズに流れるようにしてある。
【００１９】
このような構成を備えた塗布器具１１を用いて生体組織接着剤を塗布する場合、まず、一方のシリンジ２１にフィブリノゲン溶液を充填し、他方のシリンジ２２にトロンビン溶液を充填する。次に、これらシリンジ２１，２２をバレルホルダ２５によって平行に保持し、それらのプランジャをプランジャホルダ２６で保持する。そして、シリンジ２１，２２の末端ノズルをスプレーヘッド２４のノズルホルダ２８にそれぞれはめ込む。最後に、圧縮空気供給管３２を、図示しない圧縮空気供給源に接続する。この状態で、圧縮空気供給源から供給された圧縮空気は、無菌フィルタ３３で除菌された後にスプレーヘッド２４の内腔部３４に入り、空気噴出孔２９（ノズル３１の周囲）から噴射することができる。また、プランジャホルダ２６を介してプランジャが押し込まれると、シリンジ２１，２２内の溶液がチューブ３０に供給され、該チューブ３０の末端ノズル３１から送り出される。このとき、ノズル３１の周囲には高速で流れる空気の流れ存在するため、ノズル３１から送り出された溶液は該高速空気の流れによって拡散（霧化）し、これにより、スプレーヘッド２４の前方で２つの溶液が混合されて接着剤が生成される。
【００２０】
３．支持キット
支持キット４０は、不使用時に塗布器具１１をすぐに再使用できる状態で保持するための機能（保持機能）と、不使用時にフィブリノゲン溶液にトロンビン溶液が付着することで形成される凝固物又はこれらの溶液が乾燥することで形成される析出物等がノズル３１や空気噴出孔２９を閉塞することがないようにするための機能（閉塞防止機能）を有する。図１に示すように、支持キット４０は、塗布器具１１のノズル３１の末端及びスプレーヘッド２４の末端部分を浸すための液体１００を収容する容器４１と、ノズル３１の末端が容器４１の底から上側に間隔を空けた高さに維持されるように塗布器具１１を支持する支持部材（例えば、図１に示すフロート部材５１）を備えている。
【００２１】
４．容器
容器４１は、上部に開口が形成された容器本体部４２を備えている。容器本体部４２は、プラスチック、ガラス、又はその他の適当な材料で形成される。
【００２２】
容器本体部４２に、その上部開口から注入された液体１００が収容される。容器本体部４２に収容される液体１００は、薬理学的に人体に悪影響を及ぼすことが無く、また、フィブリノゲンやトロンビンと化学的に反応しない材料であり、例えば、無菌製剤（生理食塩水、注射用水）が好適に利用される。
【００２３】
容器本体部４２は、例えば円筒状の周壁４３を備え、周壁４３の下端閉塞部が容器本体部４２の底部を構成し、周壁４３の上端開口部が容器本体部４２の上部開口を構成している。ただし、本考案において、周壁４３の形状及び容器本体部４２の形状は特に限定されるものでなく、例えば、周壁４３を角筒状としてもよい。
【００２４】
なお、ノズル３１の末端及びスプレーヘッド２４の末端部分が容器本体部４２内の液体１００に好適に浸かっていることを周壁４３の外側から目視で確認できるように、周壁４３は透明又は半透明の材料で形成されることが好ましい。また、容器本体部４２内に収容された液体１００の量（水位）を確認できるように、周壁４３に目盛が設けられてもよい。
【００２５】
周壁４３の周方向の所定箇所にはオリフィス（越流開口）４４が設けられている。オリフィス４４は、例えば、周壁４３の上端から下方に延びる矩形の切欠で構成されるが、オリフィス４４の形状と個数は任意である。周壁４３の外側には、容器本体部４２の内側からオリフィス４４を介して外側へ越流した液体１００を受ける液溜め４５が設けられている。液溜め４５は、容器本体部４２と一体に設けられているが、容器本体部４２に別体の液溜め４５を取り付けるようにしてもよい。液溜め４５は、オリフィス４４から越流した所定量の液体１００を受けることができるものであれば、その大きさ、形状および材料は任意である。ただし、本考案において、必ずしもオリフィス４４及び液溜め４５を設ける必要はない。
【００２６】
支持キット４０の使用時、容器本体部４２内には、オリフィス４４の下端位置まで液体１００が注入される。なお、容器４１の安定を保つために、容器４１を適宜手段で載置台（図示せず）に固定してもよい。簡単な例としては、容器４１の底面に両面テープを貼り、これにより容器４１を載置台に固定することが考えられる。
【００２７】
このように準備された容器４１に対し、塗布作業を一時的に中断した塗布器具１１は、圧縮空気の供給が停止された状態で、そのスプレーヘッド２４の末端側が容器本体部４２の上部開口に差し込まれ、空気噴出孔２９が設けられたスプレーヘッド２４の末端部分と、ノズル３１の末端が液体１００に浸かった状態で後述の支持部材に支持される。したがって、ノズル３１に付着したフィブリノゲン溶液とトロンビン溶液は互いに接触することなく、重力作用によって液体１００中を落下するか、又は、液体１００に希釈若しくは溶解される。そのため、ノズル３１の末端における凝固物や析出物の発生を防止することができる。また、既にノズル３１に付着した凝固物や析出物も、液体１００中を落下するか、又は、液体１００に希釈若しくは溶解されるため、凝固物や析出物によるノズル３１及び空気噴出孔２９の閉塞を確実に防止でき、その後、塗布器具１１を取り上げれば、すぐに接着剤の塗布作業を再開できる。
【００２８】
５．支持部材
以下、支持キット４０の支持部材の構成について実施形態毎に説明する。
【００２９】
［第１の実施形態］
図１、図２及び図４に示すように、第１の実施形態に係る支持部材としては、容器本体部４２内で液体１００に浮かべられるフロート部材５１が用いられる。フロート部材５１には、上下方向に貫通する貫通穴５２が設けられており、該貫通穴５２に、スプレーヘッド２４の末端部分を挿通可能となっている。
【００３０】
貫通穴５２は、平面視において細長い長円形状を有する。この貫通穴５２の形状は、スプレーヘッド２４の幅広部分の輪郭（図３に二点鎖線Ｌで示す位置における横断面の形状）にほぼ一致している。また、貫通穴５２は、深さ方向の全長に亘って略同一の断面形状を有する。そのため、スプレーヘッド２４をその末端側から貫通穴５２に差し込むとき、比較的幅が狭いスプレーヘッド２４の末端部分は貫通穴５２を容易に通過することができ、比較的幅が広いスプレーヘッド２４の基端部分は貫通穴５２の内周面との間の摩擦作用により通過が規制される。したがって、スプレーヘッド２４の末端部分を貫通穴５２に差し込むことで、スプレーヘッド２４の幅広部分にフロート部材５１を嵌め着けることができる。
【００３１】
ただし、貫通穴５２の形状は特に限定されるものでなく、スプレーヘッド２４の末端部を貫通穴５２に差し込むことでスプレーヘッド２４にフロート部材５１を取り付けることが可能な形状であればよい。
【００３２】
このようにしてフロート部材５１が取り付けられた塗布器具１１のスプレーヘッド２４の末端部を容器本体部４２内の液体１００に浸けると、フロート部材５１は、塗布器具１１と共に容器本体部４２内で液体１００に浮かべられる。
【００３３】
フロート部材５１の材料としては、スプレーヘッド２４に取り付けられた状態で塗布器具１１と共に液体１００に浮かぶことができるように、例えば発泡樹脂等、比較的低密度の材料が用いられる。フロート部材５１は、例えば図示のような楕円柱状であるが、フロート部材５１の形状は任意であり、安定した姿勢で液体１００に浮かぶことができる形状であることが好ましい。
【００３４】
図４に示すように、フロート部材５１は、塗布器具１１が取り付けられた状態において、液面上に浮かぶように構成されている。また、液面が水平である状態において、フロート部材５１は、貫通穴５２が鉛直方向に沿って配置される姿勢で液体１００に浮かぶように構成されることが好ましく、これにより、塗布器具１１は、シリンジ２１，２２が鉛直方向を向く安定した姿勢でフロート部材５１により支持される。
【００３５】
フロート部材５１は、上記の使用状態において、ノズル３１の末端がオリフィス４４の下端から所定間隔（図４に示す符号ｈ）下方に配置されるような形状及び大きさを有する。具体的に、ノズル３１の末端は、オリフィス４４の下端から例えば約１０ｍｍ下方に配置されることが好ましい。これにより、仮に振動等により容器本体部４２内の液体１００がオリフィス４４から溢れ出ても、スプレーヘッド２４の末端部分とノズル３１が十分に且つ安定して液体１００に浸かるようになっている。
【００３６】
また、使用状態において、ノズル３１の末端は、容器本体部４２の底部から上方に間隔を空けた高さに保持されるようになっている。具体的に、ノズル３１の末端は、容器本体部４２の底部から２ｍｍ以上、上方に配置されることが好ましい。これにより、ノズル３１の末端に付着した溶液又は凝固物や析出物がノズル３１の末端と容器本体部４２の底部との隙間に滞留することを防止でき、これらの溶液等を確実に液体１００によって希釈若しくは溶解するか、又は、液体１００内に沈下させることができる。
【００３７】
なお、第１の実施形態では、スプレーヘッド２４に別体のフロート部材５１を取り付けて使用する構成について説明したが、フロート部材５１をスプレーヘッド２４に一体に設けるようにしてもよい。
【００３８】
［第２の実施形態］
図５〜図７を参照しながら、第２の実施形態に係る支持部材６１について説明する。なお、第２の実施形態では、薬液塗布装置１０における支持部材以外の構成は第１の実施形態と同様であり、共通する構成については説明を省略する。また、図７において、第１の実施形態と共通する部材及び部位には同じ符号を付してある。
【００３９】
支持部材６１は、塗布器具１１を挟み込んで支持する第１及び第２の挟持部６２，６３と、これらの挟持部６２，６３を連結するスプリング６４とを備え、全体として洗濯ばさみの一般的な構造と同様の構造となっている。
【００４０】
図５に示すように、第１の挟持部６２は、基端側に向かって外側に傾斜した方向に延びる基端傾斜部６２ａと、基端傾斜部６２ａの先端に連なる第１半円状部６２ｂと、中間接続部６２ｃを介して第１半円状部６２ｂの先端に連なる第２半円状部６２ｄと、第２半円状部６２ｄの先端から更に先端側へ延びる先端延長部６２ｅとを備えている。
【００４１】
第２の挟持部６３は、第１の挟持部６２と同様、基端傾斜部６３ａ、第１半円状部６３ｂ、中間接続部６３ｃ、第２半円状部６３ｄ、及び先端延長部６３ｅを備えている。平面視において、これらの第２の挟持部６３の各部は、対応する第１の挟持部６２の各部と線対称に設けられている。
【００４２】
第１及び第２の挟持部６２，６３の材料は任意であるが、例えば、プラスチック又は木材等が好適に用いられる。
【００４３】
スプリング６４は、例えば、円弧状の金属線で構成されている。スプリング６４は、第１及び第２の挟持部６２，６３の各基端傾斜部６２ａ，６３ａに設けられた挿通穴（図示せず）に挿通されており、スプリング６４の一端は第１の挟持部６２の第１半円状部６２ｂに固定され、スプリング６４の他端は第２の挟持部６３の第１半円状部６３ｂに固定されている。
【００４４】
図６に示すように、第１及び第２の挟持部６２，６３の各基端傾斜部６２ａ，６３ａを互いに近づけるように摘まむことで、基端傾斜部６２ａ，６３ａよりも先端側の部分において第１の挟持部６２と第２の挟持部６３との間隔が拡がるように支持部材６１を開くことができる。また、基端傾斜部６２ａ，６３ａを摘まむのを止めると、スプリング６４の復元力により支持部材６１は閉じられる。
【００４５】
図７に示すように、このように構成された支持部材６１を用いれば、支持部材６１の一対の第１半円状部６２ｂ，６３ｂにより一方のシリンジ２２を挟み込み、一対の第２半円状部６２ｄ，６３ｄにより他方のシリンジ２１を挟み込むことで、塗布器具１１を支持することができる。
【００４６】
支持部材６１は、図示されたようにバレルホルダ２５で支持されたシリンジ２１，２２のバレル部分とバレルホルダ２５とを挟み込むのに適した形状および大きさを有し、当該部分を挟み込むように用いられることが好ましい。
【００４７】
ただし、支持部材６１は、バレルホルダ２５よりも末端側部分においてシリンジ２１，２２のバレルのみを挟み込むのに適した形状および大きさとなるように構成されてもよいし、塗布器具１１におけるシリンジ２１，２２のバレル以外の部分、例えば、シリンジ２１，２２のプランジャ部分又はスプレーヘッド２４等を挟み込むのに適した形状および大きさとなるように構成されてもよい。
【００４８】
また、支持部材６１は、容器４１の上部開口の周縁部、すなわち周壁４３の上縁部に引っ掛かる形状および大きさを有する。特に、支持部材６１における先端延長部６２ｅ，６３ｅと、Ｖ字状に分岐した２つの基端傾斜部６２ａ，６３ａが周壁４３の上縁部に引っ掛かりやすくなっており、これらの３箇所が周壁４３の上縁部に引っ掛かることで、支持部材６１の姿勢と、これに支持される塗布器具１１の姿勢を安定させることができる。
【００４９】
支持部材６１は、上記のように周壁４３の上縁部に係止された状態において、容器４１のオリフィス４４の下端位置よりも低く且つ容器４１の底部よりも高い位置にノズル３１の末端が配置されるように塗布器具１１を支持することができる。これにより、第１の実施形態と同様、ノズル３１の末端およびスプレーヘッド２４の末端部分を確実に液体１００に浸けることができ、凝固物や析出物によるノズル３１及び空気噴出孔２９の閉塞を防止することができる。なお、このような支持状態を実現するために、容器４１の周壁４３は適当な高さとなるように設計される。
【００５０】
［第３の実施形態］
図８を参照して、第３の実施形態に係る支持部材７１について説明する。なお、第３の実施形態では、薬液塗布装置１０における支持部材以外の構成は第１の実施形態と同様であり、共通する構成については説明を省略する。また、図８において、第１の実施形態と共通する部材及び部位には同じ符号を付してある。
【００５１】
支持部材７１は、塗布器具１１を挟み込んで支持する挟持機構７２と、該挟持機構７２を支持する支柱スタンド７３とを備え、全体としてカラムスタンドの一般的な構造と同様の構造となっている。
【００５２】
支柱スタンド７３は、台座７４と、台座７４から立ち上がる支柱７５とを備えている。台座７４の材料としては、例えば、鉄、亜鉛、ステンレス等が用いられるが、台座７４の材料は任意である。また、支柱７５の材料としては、例えば、鉄又はステンレスが用いられるが、支柱７５の材料は任意である。
【００５３】
挟持機構７２は、支柱７５に沿って上下方向にスライド可能なスライド部材７６と、スライド部材７６に片持ち支持された連結アーム部７８と、連結アーム部７８の先端に連結された第１及び第２のクランプアーム部８０，８１とを備えている。
【００５４】
スライド部材７６は、ねじ７７によって任意の高さで支柱７５に固定されることができ、スライド部材７６の高さを適宜調整することで、第１及び第２のクランプアーム部８０，８１の高さを調整することができる。
【００５５】
第１のクランプアーム部８０の基端部は連結アーム部７８の先端部に固定されており、第２のクランプアーム部８１の基端部は、ヒンジ７９を介して回動可能に連結アーム部７８の先端部に連結されている。ヒンジ７９には鉛直方向に延びる軸が設けられており、この軸周りに第２のクランプアーム部８１が回動可能となっている。第１及び第２のクランプアーム部８０，８１の各先端部には、塗布器具１１を挟み込むクランプ部８０ａ，８１ａが設けられている。
【００５６】
また、挟持機構７２には、第２のクランプアーム部８１の回動位置を固定する固定手段８２が設けられている。固定手段８２は、例えば、第１のクランプアーム部８０の内側の側面に突設されて第２のクランプアーム部８１を貫通するボルト８３と、該ボルト８３に螺合されて第２のクランプアーム部８１の外側から締め付けられる蝶ナット８４とで構成されている。
【００５７】
挟持機構７２によって塗布器具１１を挟み込む際は、先ず、予め固定手段８２の蝶ナット８４を緩めることで一対のクランプ部８０ａ，８１ａ間の距離を拡げておいた状態で、クランプ部８０ａ，８１ａ間に塗布器具１１の被挟持部分を配置し、その後、蝶ナット８４を締め付けることで、クランプ部８０ａ，８１ａによって塗布器具１１を挟み込んで保持することができる。
【００５８】
クランプ部８０ａ，８１ａは、２つのシリンジ２１，２２におけるバレルホルダ２５で支持されたバレル部分とバレルホルダ２５とを挟み込むのに適した形状および大きさを有する。具体的には、第１のクランプアーム部８０のクランプ部８０ａにおけるバレルホルダ２５への当接面が、バレルホルダ２５の輪郭にほぼ一致した形状を有しており、一対のクランプ部８０ａ，８１ａで塗布器具１１を挟持するとき、バレルホルダ２５の表面にクランプ部８０ａの当接面がフィットするようになっている。これにより、挟持機構７２によって塗布器具１１を安定して支持することができる。
【００５９】
ただし、クランプ部８０ａ，８１ａは、バレルホルダ２５よりも末端側部分においてシリンジ２１，２２のバレルのみを挟み込むのに適した形状および大きさとなるように構成されてもよいし、塗布器具１１におけるシリンジ２１，２２のバレル以外の部分、例えば、シリンジ２１，２２のプランジャ部分又はスプレーヘッド２４等を挟み込むのに適した形状および大きさとなるように構成されてもよい。
【００６０】
支持部材７１は、上記のように一対のクランプ部８０ａ，８１ａで塗布器具１１を挟持した状態でスライド部材７６の高さを適宜調整することで、容器４１のオリフィス４４の下端位置よりも低く且つ容器４１の底部よりも高い位置にノズル３１の末端が配置されるように塗布器具１１を支持することができる。これにより、第１の実施形態と同様、ノズル３１の末端およびスプレーヘッド２４の末端部分を確実に液体１００に浸けることができ、凝固物や析出物によるノズル３１及び空気噴出孔２９の閉塞を防止することができる。
【００６１】
第３の実施形態では、以上のように構成された支持部材７１について説明したが、支持部材７１の構成は種々の変更が可能である。
【００６２】
例えば、台座７４から直立したタイプの支柱７５に沿ってスライド部材７６を上下方向にスライドさせることでクランプ部８０ａ，８１ａの高さ調整を行う上記構成に代えて、フレキシブルタイプの支柱の先端にクランプ部を設けた上で、支柱の曲げ方によってクランプ部の高さ調整を行う構成を採用してもよい。
【００６３】
また、第３の実施形態では、一方のクランプアーム部８１のみが回動可能に設けられ、この回動可能なクランプアーム部８１を固定手段８２で固定することでクランプを行う片締めタイプの上記構成に代えて、両方のクランプアーム部８０，８１を回動可能に構成し、これら両クランプアーム部８０，８１を固定手段で固定することでクランプを行う両締めタイプの構成を採用してもよい。
【００６４】
［第４の実施形態］
図９及び図１０を参照しながら、第４の実施形態に係る支持部材９１について説明する。なお、第４の実施形態では、薬液塗布装置１０における支持部材以外の構成は第１の実施形態と同様であり、共通する構成については説明を省略する。また、図９及び図１０において、第１の実施形態と共通する部材及び部位には同じ符号を付してある。
【００６５】
支持部材９１は、塗布器具１１のスプレーヘッド２４を下側から受けるカップ部９２と、カップ部９２の上縁部から径方向外側に拡がる環状のフランジ部９４とを備えている。カップ部９２の底部には開口９３が形成されており、支持部材９１の全体形状は漏斗と同様の形状となっている。なお、支持部材９１には、典型的な漏斗の構造と異なり、カップ部９２の底部から下方に延びる管状部が設けられていないが、当該管状部を設けるようにしてもよい。
【００６６】
カップ部９２は例えば円錐状とされるが、カップ部９２の形状はこれに限定されるものでなく、例えば、角錐状または椀状であってもよい。ただし、カップ部９２の形状は、その上端開口部の径がスプレーヘッド２４の幅広部分（基端部分）の幅よりも大きく、且つ、底部に向かって次第に細くなる形状であることが好ましく、これにより、末端に向かって次第に細くなる形状を有するスプレーヘッド２４をカップ部９２により下側から安定して支持することができる。
【００６７】
また、図１０に示すように、カップ部９２の断面形状は、スプレーヘッド２４の側面の傾斜に沿って傾斜した形状としてもよい。この場合、カップ部９２の内面にスプレーヘッド２４の側面をフィットさせることができ、支持部材９１による塗布器具１１の支持状態を一層安定させることができる。
【００６８】
カップ部９２の開口９３は、例えば円形であり、少なくともスプレーヘッド２４の幅広部分（基端部分）の幅よりも小径である。これにより、スプレーヘッド２４全体が開口９３を通過することが規制されている。具体的に、開口９３の直径は、スプレーヘッド２４の末端近傍部の幅に等しく、使用状態において、スプレーヘッド２４の末端部のみが開口９３を通過してカップ部９２から下方へ突出した状態となる。
【００６９】
なお、典型的な漏斗と同様にカップ部９２の底部から下方へ延びる管状部を設けた場合は、該管状部内にスプレーヘッド２４の末端部が収められるようにしてもよい。また、本考案において、開口９３の形状は任意であり、例えば、スプレーヘッド２４の末端近傍部の輪郭に一致する形状であってもよい。
【００７０】
支持部材９１は、容器４１の上部開口の周縁部、すなわち周壁４３の上縁部に引っ掛かる形状および大きさを有する。具体的には、周壁４３の上端開口部の直径と比べて、フランジ部９４の内径が小径とされ、フランジ部９４の外径が大径とされている。これにより、周壁４３の上縁部にフランジ部９４を全周に亘って確実に載せることができる。
【００７１】
支持部材９１の材料は任意であるが、例えば、プラスチック又は金属等が用いられる。また、容器４１の周壁４３が透明または半透明である場合、支持部材９１による塗布器具１１の支持状態をカップ部９２の外側から目視で確認しやすくするために、支持部材９１の材料も透明または半透明の材料であることが好ましい。
【００７２】
以上のように構成された支持部材９１を用いれば、支持部材９１のフランジ部９４を容器４１の周壁４３の上縁部に載せ、カップ部９２の開口９３に塗布器具１１のスプレーヘッド２４の末端部を上側から差し込むことで、スプレーヘッド２４がカップ部９２により下側から支えられる。これにより、支持部材９１により塗布器具１１を安定して支持することができる。
【００７３】
このような支持状態において、支持部材９１は、容器４１のオリフィス４４の下端位置よりも低く且つ容器４１の底部よりも高い位置にノズル３１の末端が配置されるように塗布器具１１を支持することができる。これにより、第１の実施形態と同様、ノズル３１の末端およびスプレーヘッド２４の末端部分を確実に液体１００に浸けることができ、凝固物や析出物によるノズル３１及び空気噴出孔２９の閉塞を防止することができる。なお、このような支持状態を実現するために、容器４１の周壁４３及び支持部材９１のカップ部９２は、適当な上下寸法となるように設計される。
【００７４】
［第５の実施形態］
図１１及び図１２を参照しながら第５の実施形態について説明する。なお、第５の実施形態において、第１の実施形態と共通する構成については説明を省略する。また、図１１及び図１２において、第１の実施形態と共通する部材及び部位には同じ符号を付してある。
【００７５】
第５の実施形態に係る支持部材としては、容器本体部４２の内部を上下に仕切るように容器本体部４２の内側に取り付けられる仕切部材１０１が用いられる。
【００７６】
図１１に示すように、支持部材１０１は、例えば円形の外周部１０４と、外周部１０４の内側に設けられた複数の縦桟部１０２ａ，１０２ｂ，１０２ｃ，１０２ｄと、外周部１０４の内側に設けられた複数の横桟部１０３ａ，１０３ｂ，１０３ｃ，１０３ｄとを備えている。仕切部材１０１の材料は任意であるが、例えばプラスチック又は金属が用いられる。
【００７７】
外周部１０４の外径は容器４１の周壁４３の内径に比べて等しいか又は僅かに小径となっている。なお、外周部１０４の形状は、周壁４３が円筒状であることに合わせて円形となっているが、周壁４３が円筒状以外の形状である場合は、その形状に合わせて外周部１０４の形状も変更される。例えば、周壁４３が角筒状である場合は、これに合わせて外周部１０４を矩形とすればよい。
【００７８】
縦桟部１０２ａ，１０２ｂ，１０２ｃ，１０２ｄと、横桟部１０３ａ，１０３ｂ，１０３ｃ，１０３ｄは格子状に交わるように設けられている。これにより、隣接する一対の縦桟部１０２ａ，１０２ｂ，１０２ｃ，１０２ｄと隣接する一対の横桟部１０３ａ，１０３ｂ，１０３ｃ，１０３ｄとで囲まれた複数の開口部１１０が形成されている。
【００７９】
これらの開口部１１０は、上側から差し込まれた塗布器具１１のスプレーヘッド２４の末端側の一部のみが通過可能な形状および大きさを有する。具体的に、開口部１１０は、スプレーヘッド２４の扁平なハウジング２７の末端部を特定の向きでのみ挿通可能なように、細長い矩形状に形成されている。さらに、開口部１１０は、少なくともスプレーヘッド２４の幅広部分（基端部分）の通過を規制するために、当該部分の幅よりも短く形成されている。
【００８０】
また、第５の実施形態では、容器４１の周壁４３の内周面に、仕切部材１０１の外周部１０４を載置するための段状部４３ａが形成されている。これにより、仕切部材１０１を段状部４３ａに載せるだけで、高さ方向において仕切部材１０１を容易に位置決めすることができる。また、図１２に示すように、このように位置決めされた仕切部材１０１の上に塗布器具１１のスプレーヘッド２４を載置したとき、スプレーヘッド２４は末端部のみが開口部１１０を通過可能であり、それ以上の通過が規制されるため、スプレーヘッド２４の末端部を確実に所定高さ以上に保持できる。
【００８１】
段状部４３ａは、オリフィス４４の下端位置よりも低い位置に形成されている。そのため、段状部４３ａに載置された仕切部材１０１は液面よりも低い高さに位置決めされ、開口部１１０を通って仕切部材１０１よりも下方に突出したスプレーヘッド２４の末端部を確実に液体１００に浸けることができる。ただし、段状部４３ａは、オリフィス４４の下端位置の高さ以上の高さに設けてもよく、この場合は、ノズル３１の末端及び空気噴出孔２９を確実に液体１００に浸けるのに十分な量だけスプレーヘッド２４の末端部が仕切部材１０１よりも下方に突出するように、仕切部材１０１の開口部１１０の大きさ及び形状を設計すればよい。
【００８２】
また、段状部４３ａは、容器本体部４２の底部から所定高さ以上高い位置に設けられている。これにより、スプレーヘッド２４の末端部が仕切部材１０１よりも下方に突出した状態において、ノズル３１の末端が容器本体部４２の底部から上方に間隔を空けた高さに保持される。よって、ノズル３１の末端に付着した溶液又は凝固物や析出物を、確実に液体１００中に沈下、又は液体１００により希釈若しくは溶解させることができる。
【００８３】
スプレーヘッド２４の末端部が仕切部材１０１の細長い開口部１１０に上側から挿通された状態において、スプレーヘッド２４は開口部１１０の周壁（縦桟部１０２ａ，１０２ｂ，１０２ｃ，１０２ｄ及び横桟部１０３ａ，１０３ｂ，１０３ｃ，１０３ｄ）によって水平方向の移動が規制される。そのため、スプレーヘッド２４の向きをほぼ一定に保持することができる。
【００８４】
なお、仕切部材１０１の開口部１１０にスプレーヘッド２４の末端部を差し込んだ状態において、塗布器具１１のシリンジ２１，２２等を容器４１の周壁４３にもたれさせてもよく、これにより、仕切部材１０１と容器４１によって塗布器具１１をより安定して支持することができる。
【００８５】
第５の実施形態では、以上のように構成された支持部材１０１について説明したが、支持部材１０１の構成は種々の変更が可能である。
【００８６】
例えば、上記のように仕切部材１０１を格子状に形成する構成に代えて、板状の仕切部材に１又は複数の開口部を形成するようにしてもよい。また、スプレーヘッド２４の末端部が挿通される開口部１１０の形状は、上記のような細長い矩形に限定されるものでなく、例えば、長円形や楕円形であってもよい。さらに、第５の実施形態では、容器４１の段状部４３ａによって仕切部材１０１を位置決めする場合について説明したが、仕切部材１０１を位置決めする構成は任意であり、必ずしも容器４１に段状部４３ａを設ける必要はない。例えば、仕切部材１０１に１又は複数の脚部を設けて、この脚部を容器４１の底に載置することで仕切部材１０１を位置決めするようにしてもよい。また、複数のフック等を用いて容器４１の周壁４３の上縁部に仕切部材１０１を吊り下げ支持することで仕切部材１０１を位置決めするようにしてもよい。
【００８７】
［第６の実施形態］
図１３及び図１４を参照しながら、第６の実施形態について説明する。なお、第６の実施形態では、薬液塗布装置１０における支持部材以外の構成は第１の実施形態と同様であり、共通する構成については説明を省略する。また、図１３及び図１４において、第１の実施形態と共通する部材及び部位には同じ符号を付してある。
【００８８】
第６の実施形態に係る支持部材としては、容器本体部４２の上部開口の周縁部、すなわち周壁４３の上縁部に引っ掛けられ、容器本体部４２の内側に吊り下げられるフック部材１１１が用いられる。
【００８９】
図１３に示すように、フック部材１１１は、例えば金属製の１本の棒を折り曲げて形成されており、該棒の両端部により、周壁４３の上縁部に引っ掛けられる一対のフック部１１２ａ，１１２ｂが形成されている。各フック部１１２ａ，１１２ｂは、上方に膨らむ湾曲部１１３ａ，１１３ｂと、湾曲部１１３ａ，１１３ｂの一端から下方に延設されて使用時に周壁４３の外側に配置される外側直線部１１４ａ，１１４ｂと、湾曲部１１３ａ，１１３ｂの他端から下方に延設されて使用時に周壁４３の内側に配置される内側直線部１１５ａ，１１５ｂとを備えている。
【００９０】
フック部材１１１の下端部には、塗布器具１１の外周部に引っ掛けられるループ部１１７が設けられている。ループ部１１７は、周壁４３の径方向外側に向かって開放した概略Ｃ形に形成されており、ループ部１１７の一対の開放端部１１７ａ，１１７ｂは、それぞれ水平部１１６ａ，１１６ｂを介してフック部１１２ａ，１１２ｂの内側直線部１１５ａ，１１５ｂの下端に連なっている。
【００９１】
図１４に示すように、容器４１の周壁４３の上縁部にフック部材１１１のフック部１１２ａ，１１２ｂが引っ掛けられた状態において、フック部材１１１のループ部１１７の中に塗布器具１１のスプレーヘッド２４を上側から差し込むと、例えばスプレーヘッド２４のハウジング２７上部の段差部２７ａがループ部１１７に引っ掛かり、ループ部１１７内におけるスプレーヘッド２４のこれ以上の通過が規制される。また、スプレーヘッド２４の末端部は、周壁４３の内周面に当接する。これにより、スプレーヘッド２４、ひいては塗布器具１１が容器４１とフック部材１１１とによって確実に支持される。
【００９２】
さらに、ループ部１１７は、スプレーヘッド２４のハウジング２７の上部の扁平な輪郭に沿った細長い形状であることが好ましい。この場合、ループ部１１７に引っ掛けられたスプレーヘッド２４は、これを囲むループ部１１７によって水平移動が効果的に規制され、これにより、塗布器具１１を安定した姿勢で支持することができる。
【００９３】
フック部材１１１は、上記のように周壁４３の上縁部に係止された状態において、容器４１のオリフィス４４の下端位置よりも低く且つ容器４１の底部よりも高い位置にノズル３１の末端が配置されるように塗布器具１１を支持することができる。これにより、第１の実施形態と同様、ノズル３１の末端およびスプレーヘッド２４の末端部分を確実に液体１００に浸けることができ、凝固物や析出物によるノズル３１及び空気噴出孔２９の閉塞を防止することができる。なお、このような支持状態を実現するために、容器４１の周壁４３は適当な高さとなるように設計される。
【００９４】
第６の実施形態では、以上のように構成されたフック部材１１１について説明したが、フック部材１１１の構成は種々の変更が可能である。
【００９５】
例えば、フック部材１１１のフック部１１２ａ，１１２ｂの個数は２つに限定されるものでなく、１つ又は３つ以上であってもよい。また、フック部材１１１のループ部１１７は、上記のようにスプレーヘッド２４の段差部２７ａが引っ掛けられる構成に限定されるものでなく、スプレーヘッド２４の外周部における段差部２７ａ以外の部分、又は、塗布器具１１におけるスプレーヘッド２４以外の部分が引っ掛けられるように構成されてもよい。さらに、フック部材１１１は、上記のように一本の棒を折り曲げて形成されるものに限定されるものでなく、例えば、樹脂成型品からなるフック部材を用いるようにしてもよい。
【００９６】
以上、上述の実施形態を挙げて本考案を説明したが、本考案は上述の実施形態に限定されるものではない。
【００９７】
例えば、上述の実施形態では、薬液塗布器具１１として、一般財団法人化学及血清療法研究所から供給されている止血剤注入キット（商品名「ボルヒール調製器セット」及び「ボルヒールスプレーセット」）を用いる場合について説明したが、本考案は、その他の生体組織接着剤塗布器具、生体組織接着剤以外の接着剤を塗布する器具、又は、接着剤以外の薬液を塗布する器具を薬液塗布器具として用いる場合にも適用可能である。
【００９８】
また、上述の実施形態では、薬液塗布器具１１として、２つのシリンジ２１，２２を１つのスプレーヘッド２４に接続するタイプの器具を用いる場合について説明したが、本考案は、シリンジ毎に個別のスプレーヘッドに接続するタイプの薬液塗布器具を用いる場合にも適用することができる。
【００９９】
さらに、上述の実施形態では、２つのノズルを有する薬液塗布器具を用いる場合について説明したが、本考案では、１つ又は３つ以上のノズルを有する薬液塗布器具を用いる場合にも適用可能である。
【産業上の利用可能性】
【０１００】
以上のように、本考案は、薬液塗布器具とりわけ生体組織接着剤塗布器具の目詰まり防止や改善に適用することができ、特に、生体組織接着剤塗布器具を繰り返し使用する頻度の高い、心臓血管外科領域で極めて有用である。
【符号の説明】
【０１０１】
１０：薬液塗布装置
１１：薬液塗布器具
２１，２２：シリンジ
２３：保持手段
２４：スプレーヘッド
２５：バレルホルダ
２６：プランジャホルダ
２７：ハウジング
２８：ノズルホルダ
２９：空気噴出孔
３０：チューブ
３１：ノズル
３２：圧縮空気供給管
３３：無菌フィルタ
３４：内腔部
４０：薬液塗布器具支持キット
４１：容器
４２：容器本体部
４３：周壁
４４：オリフィス
４５：液溜め
５１：支持部材（フロート部材）
５２：貫通穴
６１：支持部材
６２：第１の挟持部
６３：第２の挟持部
６４：スプリング
７１：支持部材
７２：挟持機構
７３：支柱スタンド
９１：支持部材
９２：カップ部
９３：開口
９４：フランジ部
１００：液体
１０１：支持部材（仕切部材）
１１０：開口部
１１１：支持部材（フック部材）
１１７：ループ部
【図１】
0003182994.tif 000003
【図２】
0003182994.tif 000004
【図３】
0003182994.tif 000005
【図４】
0003182994.tif 000006
【図５】
0003182994.tif 000007
【図６】
0003182994.tif 000008
【図７】
0003182994.tif 000009
【図８】
0003182994.tif 000010
【図９】
0003182994.tif 000011
【図１０】
0003182994.tif 000012
【図１１】
0003182994.tif 000013
【図１２】
0003182994.tif 000014
【図１３】
0003182994.tif 000015
【図１４】
0003182994.tif 000016